(57)【特許請求の範囲】
【請求項１】
ＳＲＣ構造におけるトラス埋込ＰＣ板に対向して柱又は梁用の型枠を固定する型枠固定構造であって、型枠を前記トラス埋込ＰＣ板から所定間隔の位置に固定保持する型枠固定具を用い、該型枠固定具は、前記トラス埋込ＰＣ板のトラス筋に係止する係止部材と、この係止部材に螺合して前記トラス筋に対し該係止部材を固定するとともに前記型枠を前記トラス埋込ＰＣ板から所定間隔を隔てて保持するためのセパレータ部材と、このセパレータ部材を前記型枠に固定する締結部材とからなり、前記セパレータ部材は、柱又は梁を構成する鉄骨を貫通して前記トラス筋および型枠間に配設され、かつ前記係止部材は、前記セパレータ部材端部のネジ部が螺入するナットを有するとともに、このセパレータ部材に対する係止部材の回転を防止するための回り止めナットを備えていることを特徴とするトラス埋込ＰＣ板に対する柱又は梁用の型枠固定構造。
【発明の詳細な説明】
【０００１】
【発明の属する技術分野】
本発明は、鉄骨鉄筋コンクリート構造（ＳＲＣ構造）におけるトラス埋込ＰＣ板に対する柱又は梁用の型枠固定構造に関するものである。
【０００２】
【従来の技術】
予め工場等で複数列状に設けたトラス筋をその一部を露出させてＰＣ板に埋設したトラス埋込ＰＣ板が建物の壁材として用いられている。このようなトラス埋込ＰＣ板（以下単にＰＣ板と言う）を用いてコンクリート壁を形成する場合、現場でこのＰＣ板を外側の型枠として用い、その内面側（トラス露出面側）に対向して合板等からなる内側の型枠を固定保持してコンクリートを打設する。これにより、ＰＣ板が現場打ちコンクリートと一体化されて外壁が形成される。
【０００３】
このようなＰＣ板の内面側に型枠を形成する場合、型枠をＰＣ板から所定の壁厚の間隔を隔てた位置に対向して固定保持するためにセパレータが用いられる。型枠形成に際し、ＰＣ板を下層階のスラブ等に支持してサポートにより垂直に保持し、壁材の鉄筋等が配筋された状態で、セパレータの端部を予め定められた位置のＰＣ板内面側に固定する。その後、予めセパレータの位置に対応して孔が明いた型枠をＰＣ板に対向させて配設し、セパレータを孔に挿通させてその突出部のボルトに締結具を装着して型枠を固定する。
【０００４】
従来、このセパレータとＰＣ板とを結合するために、予めＰＣ板側にインサートナットを埋設し、このインサートナットに対しセパレータ端部のボルトを螺合させて固定していた。
【０００５】
【発明が解決しようとする課題】
しかしながら、インサートナットに対しセパレータ端部のボルトを螺入させる従来の方法では、特に柱や梁等の部分で鉄筋が密集して配設されインサートナットまで手が届かない場合に、インサートナットから手が離れたまま離れた位置からセパレータをもってインサートナットに螺入させることは非常にむつかしく、作業性が悪かった、また、ＰＣ板の裏面で特に鉄筋等が密集している部分では周囲が薄暗くなりインサートナットの位置を目で確認することが困難となってセパレータ取付け作業の作業性をさらに低下させていた。
【０００６】
一方、このようなインサートナットを用いずに、セパレータ端部に断面コ字状の保持具を螺着し、この保持具をＰＣ板のトラス筋に対し引掛けてからセパレータを回してボルトを保持具内に突出させてトラス筋にセパレータを固定する方法が提案されている（実開昭６０−５７６４９号公報）。
【０００７】
このような断面コ字状の保持具を有するセパレータを用いることにより、ＰＣ板のトラス筋に対しセパレータを結合しやすくなり、作業性が向上する。これにより、ＰＣ板を用いたＲＣ構造（鉄筋コンクリート構造）における型枠形成の作業性の向上が図られる。
【０００８】
しかしながら、このような断面コ字状の保持具を有するセパレータをＳＲＣ構造の建物に対し用いた場合には、ＰＣ板に対向して柱や梁の型枠を形成する場合に、従来、柱や梁の鉄骨を避けてセパレータを取付けていた。このため、例えば柱の型枠を形成する場合、柱中央の鉄骨の左右にセパレータを取付けてこれに型枠を固定保持するため、強度を確保するためには上下方向のセパレータの取付け間隔を非常に狭くしなければならず、取付け本数が多くなって作業が煩雑になるとともに左右方向のセパレータ配置の強度上のバランスが均一にならず型枠保持の信頼性を低下させていた。
【０００９】
また、ＰＣ板のトラス筋の埋込方向や配列形態によっては、セパレータ取付け間隔を狭くしようとしたときにその位置にトラス筋が配設されていない場合があり、最適な位置にセパレータを取付けることができず強度上の問題を生じるおそれがあった。
【００１０】
本発明は上記従来技術を考慮したものであって、ＳＲＣ構造の建物にトラス筋を埋め込んだＰＣ板を用いた場合に、強度上の問題を生じることなく型枠のセパレータをＰＣ板に容易に確実に結合して型枠形成の作業性を向上させた型枠固定構造の提供を目的とする。
【００１１】
【課題を解決するための手段】
前記目的を達成するため、本発明では、ＳＲＣ構造におけるトラス埋込ＰＣ板に対向して柱又は梁用の型枠を固定する型枠固定構造であって、型枠を前記トラス埋込ＰＣ板から所定間隔の位置に固定保持する型枠固定具を用い、該型枠固定具は、前記トラス筋埋込ＰＣ板のトラス筋に係止する係止部材と、この係止部材に螺合して前記トラス筋に対しこの係止部材を固定するとともに前記型枠を前記トラス埋込ＰＣ板から所定間隔を隔てて保持するためのセパレータ部材と、このセパレータ部材を前記型枠に固定する締結部材とからなり、前記セパレータ部材は、柱又は梁を構成する鉄骨を貫通して前記トラス筋および型枠間に配設されたことを特徴とするトラス埋込ＰＣ板に対する柱又は梁用の型枠固定構造を提供する。
【００１２】
この構成によれば、鉄骨に強度上支障のない程度の小径の孔を形成し、この孔を通してセパレータ先端の係止部材を挿通させてトラス筋に引掛けることができるため、強度バランス上の最適位置にセパレータ部材を配設して型枠固定具を取付けることができ、型枠の構造上の強度を確保することができる。また、セパレータ部材に螺合された係止部材は容易にトラス筋に引掛けて係止することができるため、係止後にセパレータ部材を回してトラス筋に対しセパレータ部材を固定させることができる。これにより、手の届きにくい狭い場所や目で位置が確認できない薄暗い場所であっても容易に確実に型枠固定具をＰＣ板に結合することができ、ＳＲＣ構造における型枠形成の作業性が向上する。
【００１３】
また、前記型枠固定具の係止部材は、前記セパレータ部材端部のネジ部が螺入するナットを有するとともに、このセパレータ部材に対する係止部材の回転を防止するための回り止めナットを有することを特徴としている。
【００１４】
この構成によれば、係止部材をトラス筋に係止する前の状態で係止部材がセパレータ部材に対する回転が防止されるため、例えば縦方向のトラス筋に対し係止部材を横から引掛けて係止させる場合に、係止部材がその自重により回転することを防止することができ係止操作が円滑に行われる。
【００１５】
【発明の実施の形態】
以下図面を参照して本発明の実施の形態について説明する。
図１は本発明の実施の形態に係る型枠固定構造の一部断面構成説明図であり、図２はそのＡ−Ａ方向から見た一部断面構成説明図である。また、図３は、その型枠固定具を構成する係止部材の単品図である。
【００１６】
ＰＣ板（トラス埋込ＰＣ板）１は、埋設されたトラス２の露出面を建物内側に向けて配設される。トラス２は、図１の図面に垂直方向に沿って対向して配置した一対の波状あるいはジグザグ状の鉄筋２ａ，２ａと、これらの鉄筋２ａ，２ａの露出した頂部に接合される鉄筋２ｂと、鉄筋２ａ，２ａの埋設部に接合される鉄筋２ｃとにより構成される。
【００１７】
このＰＣ板１の内面側に柱又は梁を構成する鉄骨５およびこの鉄骨５の周辺に主筋３およびフープ筋４が設けられる。なお、柱等の場合には、例えば断面で十字状にクロスする鉄骨を配設し、その周囲に主筋３が設けられ、この主筋３を囲んでフープ筋４が巻回される構成等となる場合もあるが、図では簡略化してある。また、ＰＣ板１の厚さや鉄筋２ａ，２ｂ，２ｃの太さ等についても、図では構成の明瞭化のために、ＰＣ板１を大きく描き、トラス筋の鉄筋の径は柱を構成する主筋３と同等の径としてあるが、実際の例ではトラス筋の径は主筋３の径より小さい場合が多い。
【００１８】
鉄骨５にはこの鉄骨５の設計上の強度に影響を与えない程度の小径の孔（図では誇張して大きく描いてある）６が形成される。この鉄骨５の孔６を挿通して型枠固定具７が取付けられる。この型枠固定具７は、トラス２の鉄筋２ｂに係合する係止部材８と、この係止部材８に螺合する間隔保持用のセパレータ９と、このセパレータ９の内側の端部に装着された締結具１０とにより構成される。
【００１９】
係止部材８は、図３に示すように、鉄骨５の孔６を通過できる大きさに曲げられたＵ字状の鉄板または鋳物等からなり、Ｕ字の両片には鉄筋を嵌入させて係止するための切欠き孔１１が形成される。この切欠き孔１１の開口部にはフック状の突起１１ａが形成される。この係止部材８には、ナット部材１２が溶接により固着される。このナット部材１２に対し、セパレータ９の先端部に形成したネジ１４が螺合する。なお、Ｕ字状の係止部材８を鋳物で製造した場合は、ナット部材を含めて一体化させてもよい。
【００２０】
ナット部材１２の上面には回り止めナット１３が設けられる。前記セパレータ９のネジ１４はこの回り止めナット１３の雌ねじに螺合する。このような回り止めナット１３を介してセパレータ９をナット部材１２に螺合させることにより、縦方向（上下方向）の鉄筋２ｂに係止部材８の切欠き孔１１を嵌め込むために切欠き孔１１の開口を横にした状態で係止部材８をセパレータ９に保持した場合に、係止部材８がその自重で回転することが防止され、係止部材８を鉄筋２ｂに取付ける作業が円滑に行われる。
【００２１】
セパレータ９の途中にはスパナ掛け用の凹部１５が形成される。セパレータ９の内側の端部のネジ１７に固定板１６が螺合する。セパレータ９の端部は、合板からなる型枠１８に形成された孔１８ａを通して型枠の内側（建物内部側）に突出する。この型枠１８の内側に突出したセパレータ９のネジ１７に締結具１０が螺着され、固定板１６と締結具１０間に型枠１８が挟まれ、締結具１０によって締め付けられて固定される。
【００２２】
型枠１８の後面（建物内部側）には、型枠支持用の端太材（図示しない）が締結具１０に固定されて設けられる。この端太材は、角材あるいは丸パイプ等からなり、柱用の型枠の場合には、縦端太材が型枠１８の後面に接して取付けられ、その後面側に横端太材が通常２本組で上下に適当な間隔で設けられる。この場合、締結具１０をＴ字状として、２本の横端太材に係止させ、このＴ字状締結具とセパレータ９とを緊結することにより、端太材を介してセパレータ９の固定板１６と締結具間に型枠１８を挟持して固定保持する構成としてもよい。
【００２３】
型枠１８を組立る場合、まず建築途上の床コンクリートの上面に、ＰＣ板１をトラス露出面を内側に向けて載置し、サポートにより垂直に保持して固定する。この状態で、鉄骨５の孔６を通して型枠固定具７を挿入してその先端の係止部材８をＰＣ板１のトラス２の鉄筋２ｂに引掛け、切欠き孔１１に鉄筋２ｂを嵌め込む。このとき、前述のように回り止め１３の作用により係止部材８は自重で回転することなくセパレータ９の先端に保持される。
【００２４】
続いて、セパレータ９を回してその先端のネジ１４をナット１２から切欠き孔１１内に突出させて鉄筋２ｂを切欠き孔１１内に固定する。このセパレータ９の回転操作中、切欠き孔１１の開口部のフック状の突起１１ａ内に鉄筋２ｂが収まるため、係止部材８の回転が防止される。因みに、前記回り止めナット１３は係止部材８が自重では回転しない程度に締付けられ、このセパレータ９の回転操作を阻害するものではない。
【００２５】
次に、型枠１８を柱の鉄骨５に沿って立て、孔１８ａから型枠１８の後面（建物内部側）にセパレータ９の端部のネジ１７を突出させる。次に、この型枠１８の後面側に突出したセパレータ９のネジ１７に締結具１０を装着して型枠１８を固定し、さらに端太材を固定する。これにより型枠１８がＰＣ板に対向した状態で組立られて固定保持される。この型枠内にコンクリートを打設する。コンクリート硬化後、締結具１０を外し、型枠１８を取外す。
【００２６】
図４は、上記本発明の実施形態の斜視図である。
図示したように、セパレータ９の先端の係止部材８は切欠き孔１１を横にした状態で鉄骨５の孔６を挿通してトラス２の鉄筋２ｂに引掛けられる。なお、トラス２はＰＣ板１の内面に複数列形成されているが、図では１列のみ示す。
【００２７】
図５は、本発明の別の実施の形態の構成説明図である。
この実施形態は、カプラー１９で連結された２本のロッド９ａ，９ｂによりセパレータを構成したものである。このカプラー１９によりセパレータの長さを調整し、型枠１８の出入り調整を行うことができる。２０は戻り止めであり、カプラー１９で調整した長さの位置に両ロッド９ａ，９ｂを固定する。セパレータ端部のネジ１７に連結具２１が螺合し、この連結具２１の端部にネジ部材（図示しない）が装着され、このネジ部材が型枠１８の後面側に突出する。この突出したネジ部材に対し、連結具１０ａが取付けられ、その端部のネジ２２に締結具（図示しない）が装着される。
【００２８】
この図５の実施形態によれば、型枠１８の組立前にロッド９ａ，９ｂからなるセパレータの長さが調整可能であるとともに、型枠組立後にその出入り調整が可能になる。型枠の組立手順は前述の実施形態と同様である。
【００２９】
図６は本発明の別の実施の形態に係る型枠固定構造の壁および柱部分の水平断面図であり、図７および図８はそれぞれその型枠を取外した後の正面図および柱部分の断面図である。
この実施形態は、壁２３と一体的に柱２４および梁２５のコンクリート打ちを行う場合の構成を示す。壁２３に対応してＰＣ板１ａが配設され、柱２４に対応してＰＣ板１ｂが配設される。柱２４は、鉄骨２６およびその周囲の主筋２７およびこれを巻回するフープ筋２８により構成される。柱２４の鉄骨２６の上部両側には梁２５を構成する鉄骨２９が溶接により接合される。
【００３０】
ＰＣ板１ａに対向して壁２３を形成する型枠３０が配設される。ＰＣ板１ｂに対向して柱２４を形成する型枠３１が配設されその両側に柱側面の型枠３２が配設される。柱２４の型枠３１，３２の外側に丸パイプからなる縦端太材３３および横端太材３４が設けられる。
【００３１】
柱用のＰＣ板１ｂに対向する型枠３１は、前述の実施形態と同様に、鉄骨２６のウェブ２６ａに形成した孔３５を挿通する型枠固定具３６により固定保持される。この型枠固定具３６は、前述の図１、図２の例と同様に、ＰＣ板１ｂのトラス２の鉄筋２ｂに結合される係止部材８と、鉄骨２６の孔３５を挿通するセパレータ９と、このセパレータ９に対し型枠３１を固定する締結具３７とにより構成される。この例では、締結具３７は横端太材３４に係止し、型枠３１を、セパレータ９に装着した不図示の固定板（図１の固定板１６参照）側に押圧して締結具３７により緊結して固定する構成である。
【００３２】
柱側面の型枠３２は、鉄骨２６のフランジ２６ｂに係止する係止部材３８を先端に有するセパレータ３９とこのセパレータに螺合して端太材とともに型枠３２を固定保持する締結具３７とにより組立られる。
【００３３】
壁２３を形成する型枠３０は、図６に示すように、トラス２の鉄筋２ｂに係止する係止部材４０を先端に有するセパレータ４１と、このセパレータに螺合して壁面の端太材（図示しない）とともに型枠３０を固定保持する締結具（図示しない）とにより組立られる。
【００３４】
梁２５を構成する鉄骨２９には、柱と同様に型枠を固定保持するための型枠固定具（図示しない）が挿通する孔４２（図７）が形成される。
【００３５】
図９は、柱の鉄骨にセパレータの中間部を支持する構造例を示す。
鉄骨４３のウェブ４３ａには、前述のように、型枠固定具のセパレータを挿通させる孔４４が形成されている。この鉄骨４３のフランジ４３ｂにクランプ金具４５がボルト５５により固定される。このクランプ金具４５の背板４５ａをセパレータ９が挟持板４６で挟んで両側からナット４７により締結してクランプ金具４５とセパレータ９とを相互に固定する。このように鉄骨４３の外側のセパレータ９を鉄骨のフランジ４３ｂにクランプすることにより、セパレータ９が安定してＰＣ板面から直角方向に固定保持される。
【００３６】
図１０は、柱の鉄骨にセパレータの中間部を支持する別の構造例の水平断面図であり、図１１および図１２はそれぞれ、図１０の構造のＸ−Ｘ方向から見た詳細図およびＹ−Ｙ方向から見た詳細図である。
【００３７】
鉄骨４８のウェブ４８ａには、図１、図２の実施形態の型枠固定具７と同様の型枠固定具のセパレータ９を挿通させるための孔５０が形成されている。鉄骨４８の両側のフランジ４８ｂの外側にＣ型鋼材からなる支持金具５１が溶接される。この支持金具５１の背板５１ａに切欠き５２が形成される。この切欠き５２内にセパレータ９が挿入される。セパレータ９はその先端の係止部材４０によりトラス２の鉄筋２ｂに結合される。このセパレータ９に装着された挟持板５３により支持金具５１の背板５１ａを挟んでその両側からナット５４により締結することにより、セパレータ９と支持金具５１とを相互に固定する。このように鉄骨４８の外側のセパレータ９を鉄骨のフランジ４８ｂに固定支持することにより、セパレータ９が安定してＰＣ板面から直角方向に保持される。
【００３８】
【発明の効果】
以上説明したように、本発明では、鉄骨に強度上支障のない程度の小径の孔を形成し、この孔を通してセパレータ先端の係止部材を挿通させてトラス筋に引掛けることができるため、強度バランス上の最適位置にセパレータ部材を配設して型枠固定具を取付けることができ、型枠の構造上の強度を確保することができる。しかも、回り止めナットによりセパレータ部材に螺合された係止部材の自重による回転を防止できるので、容易にトラス筋に引掛けて係止することができ、係止後にセパレータ部材を回してトラス筋に対しセパレータ部材を的確に固定させることができる。これにより、手の届きにくい狭い場所や目で位置が確認できない薄暗い場所であっても容易に確実に型枠固定具をＰＣ板に結合することができ、ＳＲＣ構造における型枠形成の作業性が向上する。
【図面の簡単な説明】
【図１】  本発明の実施の形態に係る型枠固定構造の構成説明図。
【図２】  図１の構造を側面から見た構成説明図。
【図３】  図１の構造の係止部材の詳細説明図。
【図４】  図１の構造の斜視図。
【図５】  本発明の別の実施の形態の構成説明図。
【図６】  本発明のさらに別の実施の形態の水平断面図。
【図７】  図６の実施形態の正面図。
【図８】  図６の実施形態の柱部分の断面図。
【図９】  本発明のさらに別の実施の形態の構成説明図。
【図１０】  本発明のさらに別の実施の形態の水平断面図。
【図１１】  図１０のＸ−Ｘ方向の矢視図。
【図１２】  図１０のＹ−Ｙ方向の矢視図。
【符号の説明】
１：トラス埋込ＰＣ板、２：トラス、２ａ，２ｂ，２ｃ：鉄筋、３：主筋、４：フープ筋、５：鉄骨、６：孔、７：型枠固定具、８：係止部材、９：セパレータ、１０：締結具、１１：切欠き孔、１１ａ：突起、１２：ナット、１３：回り止めナット、１４：ネジ、１５：凹部、１６：固定板、１７：ネジ、１８：型枠、１８ａ：孔、１９：カプラー、２０：戻り止め、２１：連結具、２２：ネジ、２３：壁、２４：柱、２５：梁、２６：鉄骨、２６ａ：ウェブ、２６ｂ：フランジ、２７：主筋、２８：フープ筋、２９：鉄骨、３０，３１，３２：型枠、３３：縦端太材、３４：横端太材、３５：孔、３６：型枠固定具、３７：締結具、３８：係止部材、３９：セパレータ、４０：係止部材、４１：セパレータ、４２：孔、４３：鉄骨、４３ａ：ウェブ、４３ｂ：フランジ、４４：孔、４５：クランプ金具、４５ａ：背板、４６：挟持板、４７：ナット、４８：鉄骨、４８ａ：ウェブ、４８ｂ：フランジ、５０：孔、５１：支持金具、５１ａ：背板、５２：切欠き、５３：挟持板、５４：ナット、５５：ボルト
【図１】
0004057204.tif 000002
【図２】
0004057204.tif 000003
【図３】
0004057204.tif 000004
【図４】
0004057204.tif 000005
【図５】
0004057204.tif 000006
【図６】
0004057204.tif 000007
【図７】
0004057204.tif 000008
【図８】
0004057204.tif 000009
【図９】
0004057204.tif 000010
【図１０】
0004057204.tif 000011
【図１１】
0004057204.tif 000012
【図１２】
0004057204.tif 000013